(57)【要約】【課題】機器操作装置の表示部に親切でわかりやすい説明モードを表示する。【解決手段】表示部５と、スイッチ６〜１２とを備え、機器本体を制御すると共に、表示部５の表示内容やスイッチ６〜１２からなる外観構成部位に関する説明を表示部５に表示する説明モードを有した機器操作装置であって、説明モードでは、表示部５に、機器操作装置の外観模式図１５と、説明を表示させたい外観構成部位のリスト１４と、スイッチ操作によるリストの選択項目に応じて外観模式図１５中の外観構成部位を識別できるよう表示し、スイッチ操作によってリスト１４中から選択項目が決定されると、該選択項目に対応する外観模式図１５中の外観構成部位を識別できるよう表示すると共に、選択項目に関する説明を表示するようにした。【選択図】図２
2014164409.tif 000002
【特許請求の範囲】
【請求項１】
表示部と、スイッチとを備え、機器本体を制御すると共に、前記表示部の表示内容や前記スイッチからなる外観構成部位に関する説明を前記表示部に表示する説明モードを有した機器操作装置であって、
前記説明モードでは、
前記表示部に、前記機器操作装置の外観模式図と、説明を表示させたい前記外観構成部位のリストと、前記スイッチ操作による前記リストの選択項目に応じて前記外観模式図中の外観構成部位を識別できるよう表示し、
前記スイッチ操作によって前記リスト中から選択項目が決定されると、該選択項目に対応する前記外観模式図中の外観構成部位を識別できるよう表示すると共に、前記選択項目に関する説明を表示するようにしたことを特徴とする機器操作装置。
【発明の詳細な説明】
【技術分野】
【０００１】
本発明は、給湯機等に用いられる機器操作装置に関するものである。
【背景技術】
【０００２】
従来よりこの種のリモコン装置等の機器操作装置においては、特許文献１のように、リモコン操作に従って操作方法や機能説明をリモコン表示部に表示する説明モードを有したものがあった。
【先行技術文献】
【特許文献】
【０００３】
【特許文献１】特開２００９−２５３９４６号公報
【発明の概要】
【発明が解決しようとする課題】
【０００４】
従来のように操作方法や機能説明が表示される一方で、どのスイッチがどの機能と対応しているかや、現在の機器本体の状態を表示する表示内容の見方がわからず、操作に苦労する場合もあり、より親切な説明モードが求められている。
【課題を解決するための手段】
【０００５】
そこで、本発明は上記課題を解決するため、表示部と、スイッチとを備え、機器本体を制御すると共に、前記表示部の表示内容や前記スイッチからなる外観構成部位に関する説明を前記表示部に表示する説明モードを有した機器操作装置であって、前記説明モードでは、前記表示部に、前記機器操作装置の外観模式図と、説明を表示させたい前記外観構成部位のリストと、前記スイッチ操作による前記リストの選択項目に応じて前記外観模式図中の外観構成部位を識別できるよう表示し、前記スイッチ操作によって前記リスト中から選択項目が決定されると、該選択項目に対応する前記外観模式図中の外観構成部位を識別できるよう表示すると共に、前記選択項目に関する説明を表示するようにした。
【発明の効果】
【０００６】
本発明によれば、表示内容やスイッチからなる外観構成部位のリストの選択状況に伴って、外観模式図中の該当部位を識別できるように表示するため、ユーザーは機器操作装置の表示部を見ながら、知りたい部位を容易に指定することができると共に、指定された外観構成部位に関する説明を、表示部に表示される外観模式図中の該当部位を識別できるように表示すると同時に表示するので、スイッチ名称、スイッチの位置、機能およびその説明との対応や、表示内容、名称、表示位置、機能およびその説明との対応が一見して把握でき、わかりやすく親切な説明モードを提供することができる。
【図面の簡単な説明】
【０００７】
【図１】本発明の一実施形態の概略構成図
【図２】同一実施形態の表示部説明モードの画面遷移を説明する図
【図３】同一実施形態のスイッチ説明モードの画面遷移を説明する図
【発明を実施するための形態】
【０００８】
次に、本発明の一実施形態のヒートポンプ貯湯式給湯機の機器操作装置であるリモコン装置について、図面に基づいて説明する。
１はヒートポンプ貯湯式給湯機で、湯水を加熱するヒートポンプ式加熱ユニット２と、ヒートポンプ式加熱ユニット２で加熱された湯水を貯湯する貯湯タンクを備えて図示しない給湯栓や浴槽等に給湯設定温度の湯水を給湯する貯湯タンクユニット３と、給湯設定温度を変更操作したりヒートポンプ貯湯式給湯機１の作動状態や設定状態を表示するリモコン装置４とで構成されている。
【０００９】
リモコン装置４は、ドットマトリクス型液晶等からなる表示部５と、浴槽へ１８０Ｌ程度の所定量の湯はりを行わせるふろ自動スイッチ６、図示しない他のリモコン装置とインターホン通話するための通話スイッチ７、浴槽水を加熱する追いだきを行わせる追いだきスイッチ８、浴槽に１０〜２０Ｌ程度の所定量の湯をたし湯するためのたし湯スイッチ９、上下左右の指示を行うための十字スイッチ１０、十字スイッチ１０の真ん中に設けられた決定スイッチ１１、表示部５の表示内容や各スイッチからなる外観構成部位に関する説明を表示させる説明モードスイッチ１２等の操作部と、リモコン装置４内部に設けられてリモコン制御を行うリモコン制御部１３とを備えて構成されている。ここで、リモコン制御部１３は、ＭＰＵ等の論理回路を有して操作部のスイッチ操作や機器本体からの命令を受け、メモリを参照しつつ予め記憶されているプログラムに従って表示部５へ表示データを出力している。
【００１０】
次に、ユーザーによって説明モードスイッチ１２が操作されて外観構成部位の説明モードが開始された際の作動について、図２、３に基づいて説明する。
【００１１】
説明モードスイッチ１２が操作されると、最初に表示説明モードか、スイッチ説明モードかを選択する画面（図示せず）が表示部５に表示され、十字スイッチ１０の操作によって表示説明モードが選択されて決定スイッチ１１が操作されると、図２に示す表示説明モードへ遷移し、十字スイッチ１０の操作によってスイッチ説明モードが選択されて決定スイッチ１１が操作されると、図３に示すスイッチ説明モードへ遷移する。
【００１２】
次に、表示説明モードに遷移した場合について説明すると、図２（Ａ）のリスト画面に示すように、表示部５の左半分程度の領域に、説明を表示させたい表示名のリスト１４（時計表示、貯湯量表示、給湯温度表示、ふろ温度表示等）を上下スクロール可能に配置して表示し、表示部５の右半分程度の領域に、リモコン装置４の表示部５の外観模式図１５を表示しており、ここでは、表示部５の外観模式図は待機時の基本的表示形態が表されており、１６はリスト選択カーソル、１７は部位選択カーソルである。
【００１３】
ここで、左領域のリストから「時計表示」にリスト選択カーソル１６が表示された状態で決定スイッチ１１が操作されると、図２（Ｂ）の項目説明画面に遷移し、この項目説明画面では、選択された項目に関する説明を文字表示すると同時に、表示部５の外観模式図１５が表示され、「時計表示」に関する説明、注意事項等が文字表示されると共に、「時計表示部位」に部位選択カーソル１７が表示され、どの表示部位に関する説明が表示されているかが一見して認識できるようにしている。
【００１４】
一方、図２（Ａ）のリスト画面において、十字スイッチ１０の下操作が行われると、図２（Ｃ）のようにリスト選択カーソル１６が下の「貯湯量表示」に移動して表示されると同時に、表示部５の外観模式図１５中の「貯湯量表示部位」に部位選択カーソル１７が移動して表示され、リスト項目と表示部位との対応関係を容易に認識することができ、説明を表示させたいリスト項目を容易に探し出すことができるものである。
【００１５】
そして、図２（Ｃ）の状態で決定スイッチ１１が操作されると、図２（Ｄ）の項目説明画面に遷移し、貯湯量表示の表示部位とその説明、注意事項等を一見して認識することができる。
【００１６】
なお、「給湯温度表示」、「ふろ温度表示」についても画面遷移の動きは同様であるため、その説明は省略する。
【００１７】
次に、スイッチ説明モードに遷移した場合について説明すると、図３（Ａ）のリスト画面に示すように、表示部５の左半分程度の領域に、説明を表示させたい表示名のリスト１４（ふろ自動、通話、追いだき、たし湯等）を上下スクロール可能に配置して表示し、表示部５の右半分程度の領域に、リモコン装置４の外観模式図１５を表示しており、１６はリスト選択カーソル、１８は選択されたスイッチを他のスイッチとは区別して表示する強調表示である。
【００１８】
ここで、左領域のリストから「ふろ自動」にリスト選択カーソル１６が表示された状態で決定スイッチ１１が操作されると、図３（Ｂ）の項目説明画面に遷移し、この項目説明画面では、選択された項目に関する機能の説明を文字表示すると同時に、表示部５の外観模式図１５が表示され、「ふろ自動」に関する機能の説明、注意事項等が文字表示されると共に、「ふろ自動スイッチ部位」に強調表示１８が表示され、どの位置にあるスイッチに関する説明が表示されているかが一見して認識できるようにしている。
【００１９】
一方、図３（Ａ）のリスト画面において、十字スイッチ１０の下操作が行われると、図３（Ｃ）のようにリスト選択カーソル１６が下の「通話」に移動して表示されると同時に、表示部５の外観模式図１５中の「通話スイッチ部位」に強調表示１８が移動して表示され、リスト項目とスイッチとの対応関係を容易に認識することができ、説明を表示させたいリスト項目を容易に探し出すことができるものである。
【００２０】
そして、図３（Ｃ）の状態で決定スイッチ１１が操作されると、図３（Ｄ）の項目説明画面に遷移し、通話スイッチ７の部位とその機能の説明、注意事項等を一見して認識することができる。
【００２１】
なお、「追いだき」、「たし湯」についても画面遷移の動きは同様であるため、その説明は省略する。
【００２２】
このようにして、表示内容やスイッチからなる外観構成部位のリスト１４の選択状況に伴って、外観模式図１５中の該当部位を識別できるように表示するため、ユーザーはリモコン装置４の表示部５を見ながら、知りたい部位を容易に指定することができると共に、指定された外観構成部位に関する説明を、表示部５に表示される外観模式図１５中の該当部位を識別できるように表示すると同時に表示するので、スイッチ名称、スイッチの位置、機能およびその説明との対応や、表示内容、名称、表示位置、機能およびその説明との対応が一見して把握でき、親切でわかりやすい説明モードを提供することができる。
【００２３】
なお、本発明は上記一実施形態に限定されるものではなく、発明の要旨を変更しない範囲で改変可能なものであり、機器本体に一体に機器操作装置が設けられた構成としてもよいものであり、また、具体的画面構成は、本発明の意図する範囲内において種々に設計変更してもよいものであり、また、操作部はタッチパネル式のものを含んでいてもよいものである。
【符号の説明】
【００２４】
５  表示部
６  ふろ自動スイッチ
７  通話スイッチ
８  追いだきスイッチ
９  たし湯スイッチ
１０  十字スイッチ
１１  決定スイッチ
１２  説明モードスイッチ
１４  リスト
１５  外観模式図
１６  リスト選択カーソル
１７  部位選択カーソル
１８  強調表示
【図１】
2014164409.tif 000003
【図２】
2014164409.tif 000004
【図３】
2014164409.tif 000005